(57)【特許請求の範囲】
【請求項１】
その長手方向に沿う第一側面を有する第一桿体と、前記第一側面に対向し、その長手方向に沿う第二側面を有する第二桿体と、前記第一桿体及び第二桿体それぞれの長手方向中央部を枢動可能に連結した連結部と、前記第一桿体の一端部に設けてあり、対向方向に貫通した第一貫通孔と、前記第二桿体の一端部に設けてあり、対向方向に貫通した第二貫通孔と、前記第一及び第二貫通孔に挿通されており、その両端部が前記第一桿体及び第二桿体それぞれの他端部を押圧して付勢する付勢発条とを備え、前記他端部にて物体を挟持するピンチにおいて、
前記第一桿体の一端部から前記第一桿体の長手方向に突出した第一突出部と、
前記第二桿体の一端部から前記第二桿体の長手方向に突出した第二突出部と、
前記第一突出部を前記第一側面及び第二側面の対向方向に貫通しており、前記第一貫通孔に連なる前記長手方向に延びた第一孔と、
前記第二突出部を前記第一側面及び第二側面の対向方向に貫通しており、前記第二貫通孔に連なる前記長手方向に延びた第二孔と、
前記第一孔及び第二孔に挿通された環体と
を備え、
前記第一側面と面一になるように、前記第一突出部は前記第一桿体に形成され、
前記第二側面と面一になるように、前記第二突出部は前記第二桿体に形成され、
前記第一側面の反対側にて、前記第一突出部及び第一桿体に段差が形成されるように、前記第一側面に直角な方向における前記第一突出部の寸法は前記第一桿体の寸法よりも短く、
前記第二側面の反対側にて、前記第二突出部及び第二桿体に段差が形成されるように、前記第二側面に直角な方向における前記第二突出部の寸法は前記第二桿体の寸法よりも短いこと
を特徴とするピンチ。
【請求項２】
前記第一側面及び第二側面の対向方向における前記第一孔及び第二孔の視認形状がＵ形をなし、前記第一孔及び第二孔の縁部を曲面状にしてあること
を特徴とする請求項１に記載のピンチ。
【発明の詳細な説明】
【技術分野】
【０００１】
本発明は物体、例えば洗濯物を挟持するピンチに関する。
【背景技術】
【０００２】
洗濯物をハンガー又は竿等に係止させる場合、一般にピンチが使用される。ピンチは一対の杆体を備え、各杆体の中央部は、各一端部が接離するように枢動可能に連結してある。各杆体の一端部に円弧状の付勢発条の両端部が夫々係止しており、付勢発条の付勢力によって各一端部が接近させてある。一方の手で各杆体の他端部を押圧し、付勢発条に抗して各一端部を離隔させて、他方の手で一端部間に洗濯物を配し、他端部への押圧を解除することによって、一端部にて洗濯物が挟持される（例えば特許文献１参照）。
【０００３】
近年では更なる利便性の向上を図るべく、片手で洗濯物を取り外すことができるピンチが提案されている（例えば特許文献２参照）。特許文献２には、ピンチ本体の上端部に丸孔を設け、該丸孔に矩形状の結束素材（環体）を挿通させたピンチが開示されている。ピンチは吊り手に吊り下げられている。
【０００４】
結束素材は吊り手に固定されており、ピンチに狭持された洗濯物を下方に引っ張った場合、結束素材に下方への力が作用し、結束素材の上辺が山の字状に変形して、ピンチによる洗濯物の狭持が解除される。
【先行技術文献】
【特許文献】
【０００５】
【特許文献１】特開２０１０−２８４１９７号公報
【特許文献２】特開２００９−８２６７９号公報
【発明の概要】
【発明が解決しようとする課題】
【０００６】
しかしピンチに狭持された洗濯物を下方に引っ張っただけでは、山の字状に変形させるのに十分な力が結束素材に作用せず、洗濯物の狭持が解除されないおそれがある。
【０００７】
本発明は斯かる事情に鑑みてなされたものであり、狭持された洗濯物を下方に引っ張った場合に、洗濯物の狭持が解除されるピンチを提供することを目的とする。
【課題を解決するための手段】
【０００８】
本発明に係るピンチは、その長手方向に沿う面が対向する二つの桿体と、該桿体それぞれの長手方向中央部を枢動可能に連結した連結部と、前記桿体それぞれの一端部に設けてあり、対向方向に貫通した貫通孔と、該貫通孔に挿通されており、その両端部が前記桿体それぞれの他端部を押圧して付勢する付勢発条とを備え、前記他端部にて物体を挟持するピンチにおいて、前記一端部から前記桿体の長手方向に突出した突出部と、該突出部を対向方向に貫通しており、前記貫通孔に連なる前記長手方向に延びた孔と、該孔に挿通された環体とを備えることを特徴とする。
【０００９】
本発明においては、ピンチに狭持された洗濯物を下方に引っ張った場合、突出部は環体に沿って下方に移動し、二つの桿体それぞれの一端部が接近し、洗濯物の狭持が解除される。また孔と貫通孔とが連なっているので、製造のための金型を簡素化することができる。
【００１０】
本発明に係るピンチは、前記桿体の一方における前記桿体の他方に対向する側面と面一になるように、前記突出部は前記桿体の一方に形成されており、前記側面に直角な方向にて、前記突出部の寸法は前記桿体の寸法よりも短いことを特徴とする。
【００１１】
本発明においては、側面に直角な方向における突出部の寸法を桿体の寸法よりも短くすることによって、環体が挿通孔の内側に入り込み易くなる。
【００１２】
本発明に係るピンチは、前記桿体の対向方向における前記孔の視認形状がＵ形をなし、前記孔の縁部を曲面状にしてあることを特徴とする。
【００１３】
本発明においては、Ｕ形をなす孔の端部のみならず側縁部にも環体が接触する。また孔の縁部が曲面状をなすので、突出部が環体に対して摺動し易い。
【発明の効果】
【００１４】
本発明に係るピンチにあっては、ピンチに狭持された洗濯物を下方に引っ張った場合、突出部は環体に沿って下方に移動し、二つの桿体それぞれの一端部が接近し、洗濯物の狭持が解除される。また孔と貫通孔とが連なっているので、製造のための金型を簡素化することができる。
【図面の簡単な説明】
【００１５】
【図１】実施の形態に係るピンチを略示する正面図である。
【図２】ピンチを略示する右側面図である。
【図３】ピンチを略示する斜視図である。
【図４】環体の構成を変更したピンチを略示する正面図である。
【図５】環体の構成を変更したピンチを略示する正面図である。
【図６】環体の構成を変更したピンチを略示する正面図である。
【図７】環体の構成を変更したピンチを略示する正面図である。
【図８】環体の構成を変更したピンチを略示する正面図である。
【図９】環体の構成を変更したピンチを略示する正面図である。
【図１０】環体の構成を変更したピンチを略示する正面図である。
【図１１】環体の構成を変更したピンチを略示する正面図である。
【発明を実施するための形態】
【００１６】
以下本発明を実施の形態に係るピンチを示す図面に基づいて説明する。図１はピンチを略示する正面図、図２はピンチを略示する右側面図、図３はピンチを略示する斜視図である。なお図３において環体４の記載を省略している。以下の説明では図中に示す前後、上下、左右を使用する。
【００１７】
ピンチは、縦長の二つの桿体１、１と、該桿体１それぞれの長手方向中央部を回動可能に連結する連結部２と、前記桿体１を付勢するＣ形の付勢発条３とを備える。連結部２は前後方向を軸方向として回転するヒンジを有する。
【００１８】
桿体１それぞれの上端部には、左右に貫通した貫通孔１ａが設けられており、該貫通孔１ａに付勢発条３が挿通されている。付勢発条３の両端部は、桿体１それぞれの下端部に固定されている。付勢発条３によって、桿体１それぞれの下端部は近接している。二つの桿体１、１の互いに対向する面は対向面１ｂ、１ｂをなす。
【００１９】
桿体１の上端部に、上方に突出した突出部１０が一体的に設けられている。突出部１０は、対向面１ｂと面一になるように形成されている。前記対向面１ｂに直角な方向において、突出部１０の寸法ｄ１は桿体１の寸法ｄ２よりも短い。また前後方向においても、突出部１０の寸法は桿体１の寸法よりも短い。
【００２０】
図３に示すように、突出部１０には環体４を挿通する挿通孔１１が設けられている。該挿通孔１１は、側面視において、上側を底側としたＵ形をなす。すなわち桿体１、１の対向方向から視認した場合に、挿通孔１１は上側を底側としたＵ形をなす。挿通孔１１の下側は貫通孔１ａに連なっている。挿通孔１１の外側縁部分、すなわち右側の桿体１の右側面における挿通孔１１の縁部分及び左側の桿体１における左側面における挿通孔１１の縁部分は、外向きに突出した曲面状に形成されている。
【００２１】
挿通孔１１には環体４が挿通されている。環体４は、一本の金属線材を扇形に折り曲げて形成されている。扇形をなす環体４の要部分には、フック部４ａが形成されている。
【００２２】
フック部４ａは、竿等の固定された部材に吊り下げるための吊下手段、例えばチェーンに掛止される。フック部４ａが吊下手段に吊り下げられた場合、環体４の円弧部分は二つの桿体１、１の間において、下向きに突出するように配される。環体４の円弧部分は曲面状に形成された挿通孔１１の縁部分に接触し、挿通孔１１の縁部に係止される。なお環体４の円弧部分は、挿通孔１１の内側縁部分、すなわち対向面１ｂにおける挿通孔１１の縁部分には接触していない。
【００２３】
フック部４ａが吊下手段に吊り下げられた状態で、二つの桿体１、１の下端部に洗濯物が狭持されている場合に、洗濯物が下方に引っ張られると、曲面状に形成された挿通孔１１の縁部分が環体４に摺動し、環体４の円弧部分をガイドとして桿体１は下側に移動する。
【００２４】
このとき、環体４の円弧部分は下向きに突出しているので、二つの桿体１、１の上端部を接近させるように、桿体１は連結部２を中心にして回動し、二つの桿体１、１の下端部は離反し、洗濯物はピンチから外れる。
【００２５】
環体４は、一本の金属線材を折り曲げて構成されており、無端状に形成されていないので、無端状に形成されている場合に比べて、下方への力が作用した場合に弾性変形し易い。なお環体４を無端状に形成してもよい。
【００２６】
実施の形態に係るピンチにあっては、ピンチに狭持された洗濯物を下方に引っ張った場合、突出部１０は環体４に沿って下方に移動し、二つの桿体１、１それぞれの下端部が離反し、洗濯物の狭持が解除される。また挿通孔１１と貫通孔１ａとが連なっているので、製造のための金型を簡素化することができる。
【００２７】
また対向面１ｂに直角な方向における突出部１０の寸法を桿体１の寸法よりも短くすることによって、環体４が挿通孔１１の内側に入り込み易くなる。そのため挿通孔１１の縁部全体に環体４が接触し易くなり、挿通孔１１の縁部の一部に集中的に接触して、桿体１が動き難くなることを防止することができる。
【００２８】
また挿通孔１１をＵ形に形成することによって、環体４は、挿通孔１１の上縁部のみならず、挿通孔１１の前後縁部にも接触し易くなり、桿体１と環体４との摩擦力が分散され、桿体１が円滑に移動することができる。また挿通孔１１の縁部が曲面状をなすので、突出部１０が環体４に対して摺動し易い。
【００２９】
なお環体４の形状は、二つの桿体１、１の間において、環体４下部の下側左右間距離が上側左右間距離よりも短くなる形状であればよく、扇形に限定されるものではない。例えば図４に示すように、ハート形に環体４を形成してもよいし、図５に示すように縦長の楕円形に形成してもよい。また図６に示すように、円形に形成してもよいし、図７に示すように六角形状に形成してもよい。また図８に示すように、七角形状に形成してもよく、図９に示すように六角形状に形成してもよい。また図１０に示すように、菱形に形成しても良く、図１１に示すように、半円状に形成してもよい。
【００３０】
図４〜図１１のいずれにおいても、環体４下部は下向きに突出した円弧状又は三角形状をなし、環体４下部の下側左右間距離が上側左右間距離よりも短い。
【００３１】
今回開示した実施の形態は、全ての点で例示であって、制限的なものではないと考えられるべきである。各実施例にて記載されている技術的特徴は互いに組み合わせることができ、本発明の範囲は、特許請求の範囲内での全ての変更及び特許請求の範囲と均等の範囲が含まれることが意図される。
【符号の説明】
【００３２】
１  桿体
１ａ  貫通孔
１ｂ  対向面（側面）
２  連結部
３  付勢発条
４  環体
４ａ  フック部
１０  突出部
１１  挿通孔
【図１】
0006296450.tif 000002
【図２】
0006296450.tif 000003
【図３】
0006296450.tif 000004
【図４】
0006296450.tif 000005
【図５】
0006296450.tif 000006
【図６】
0006296450.tif 000007
【図７】
0006296450.tif 000008
【図８】
0006296450.tif 000009
【図９】
0006296450.tif 000010
【図１０】
0006296450.tif 000011
【図１１】
0006296450.tif 000012